(57)【要約】  余分なベルトを収納できるだけでなく、適用できるバッグの種類に対する汎用性を向上すると共に、従来と変わらない外観品質を維持することができるバッグを提供する。【解決手段】  バッグ本体部と、上記バッグ本体部を保持するためのベルト状保持部と、上記ベルト状保持部に係合すると共に、上記ベルト状保持部の長さを調節しうる調節部材とを有し、上記バッグ本体部を形成する内布と外布との間に、上記ベルト状保持部の先端部側を挿入しうるように構成されている。【選択図】図１
0003117293.tif 000002
【実用新案登録請求の範囲】
【請求項１】
バッグ本体部と、上記バッグ本体部を保持するためのベルト状保持部と、上記ベルト状保持部に係合すると共に、上記ベルト状保持部の長さを調節しうる調節部材とを有し、
上記バッグ本体部を形成する内布と外布との間に、上記ベルト状保持部の先端部側を挿入しうるように構成されたことを特徴とするバッグ。
【請求項２】
上記外布には、根革部が固定され、
上記根革部には、上記ベルト状保持部の先端部側を挿入しうる挿入口部が設けられていることを特徴とする請求項１記載のバッグ。
【請求項３】
上記挿入口部は、幅寸法が上記ベルト状保持部の先端部側の幅寸法よりもやや大きい寸法で形成され、厚さ寸法が上記ベルト状保持部の先端部側の厚さ寸法よりもやや大きい寸法で形成されていることを特徴とする請求項２記載のバッグ。
【請求項４】
上記バッグは、把持しうる一対の上記ベルト状保持部を有した手提げバッグであって、上記根革部は、上記バッグ本体部の両側面部の上部に所定間隔をおいて一対に固定して設けられ、上記根革部の上端部には、バックル状の調節部材が固定され、上記ベルト状保持部は、上記調節部材を介してバッグ本体部に連結されていることを特徴とする請求項１〜３記載のバッグ。
【請求項５】
上記バッグは、両肩に掛けうる一対の上記ベルト状保持部を有した背負いバッグであって
、上記根革部は、上記バッグ本体部の両側面部に固定して設けられていることを特徴とする請求項１〜３記載のバッグ。
【考案の詳細な説明】
【技術分野】
【０００１】
本考案は、バッグに係り、特に、ベルトの長さを調節することができるバッグに関するものである。
【背景技術】
【０００２】
物を収納して持ち運ぶ場合にバッグを利用するのが便利である。一般的なバッグは、手で把持して持ち運ぶためのベルトを有した手提げバッグや、両肩に掛けて背負うためのベルトを有した背負いバッグ等のように、バッグ本体部を保持しうるベルトを備えている。
ところで、ベルトには、使用者の体格や用途に合わせて長さを調節しうるように調節部材が設けられているが、長さを調節した際に、バッグの保持に不必要な余剰ベルト部が先端部側に形成される。
この余剰ベルト部は、調節部材から端部に向かって形成されると共に、その端部が自由端であるため、バッグの外方に露出されている場合にあっては、収納部を形成するバッグ本体上で自由に動くという事態が発生し、使用時に邪魔な存在となるだけでなく、見栄えが悪くなり、外観品質の低下を招く。
【０００３】
このような事態を解消するバッグとして、紐体の一端をバッグ本体に接合するとともに、紐体の他端をフリーとなして、その紐体のフリーな端部側における長手方向の任意の箇所を連結可能な留め具をバッグ本体に設置して、その紐体の連結個所を変化させることにより紐体の長さを伸縮可能として当該紐体を選択的にショルダーベルト又は提げ手として使用可能とし、さらに、バッグ本体における上記の留め具の下方位置に余った紐体の端部を挿入可能な袋部を設けたことを特徴とするバッグが存在する（例えば、特許文献１参照。）。
【０００４】
上記のように構成されたバッグにあっては、バッグ本体部が、収納物を収納しうる収納部と、上記収納部の外方に配置されると共に、内布と外布により形成されたポケット部とを有し、そのポケット部の上端縁部における内布と外布との縫合箇所の一部分に余剰ベルト部の挿入口部が設けられ、その挿入口部から余剰ベルト部を挿入して収納することができる。
即ち、上記特許文献１のバッグにあっては、挿入口部を設けるために、バッグ本体部とは別部材であるポケット部を形成する必要があり、その取り付け方によっては、バッグ全体として違和感を覚え、外観品質の低下を招く恐れがある。
また、バッグ本体部の外側部に挿入口部を設けなければならないため、バッグ本体部が損傷し易い繊維等の素材の場合には、余剰ベルト部を頻繁に出し入れすると早期に損傷してしまう恐れがあるため、バッグ本体部には比較的丈夫な素材を用いる必要がある。
したがって、上記特許文献１に記載された考案にあっては、上記のような事情を考慮した場合、適用できるバッグの種類が制限され、結果的に汎用性が乏しいという事態が生じる。
【０００５】
【特許文献１】実登３０６１５２４号公報
【考案の開示】
【考案が解決しようとする課題】
【０００６】
そこで、本考案の課題は、余分なベルトを収納できるだけでなく、適用できるバッグの種類に対する汎用性を向上すると共に、従来と変わらない外観品質を維持することができるバッグを提供することを目的とすることにある。
【課題を解決するための手段】
【０００７】
上記目的を達成するために、請求項１記載の考案は、バッグ本体部と、上記バッグ本体部を保持するためのベルト状保持部と、上記ベルト状保持部に係合すると共に、上記ベルト状保持部の長さを調節しうる調節部材とを有し、上記バッグ本体部を形成する内布と外布との間に、上記ベルト状保持部の先端部側を挿入しうるように構成されている。
【０００８】
また、請求項２記載の考案は、上記外布には、根革部が固定され、上記根革部には、上記ベルト状保持部の先端部側を挿入しうる挿入口部が設けられている。
【０００９】
即ち、請求項２記載の本考案に係るバッグにあっては、ベルト状保持部の先端部側を挿入口部に挿入してバッグ内方に収納することができるように形成されている。
【００１０】
また、請求項３記載の考案は、上記挿入口部は、幅寸法が上記ベルト状保持部の先端部側の幅寸法よりもやや大きい寸法で形成され、厚さ寸法が上記ベルト状保持部の先端部側の厚さ寸法よりもやや大きい寸法で形成されている。
【００１１】
即ち、請求項３記載の本考案に係るバッグにあっては、ベルト状保持部を挿入口部に挿入した際に、ベルト状保持部が捩れることがないように形成されている。
【００１２】
また、請求項４記載の考案は、上記バッグは、把持しうる一対の上記ベルト状保持部を有した手提げバッグであって、上記根革部は、上記バッグ本体部の両側面部の上部に所定間隔をおいて一対に固定して設けられ、上記根革部の上端部には、バックル状の調節部材が固定され、上記ベルト状保持部は、上記調節部材を介してバッグ本体部に連結されている。
【００１３】
また、請求項５記載の考案は、上記バッグは、両肩に掛けうる一対の上記ベルト状保持部を有した背負いバッグであって、上記根革部は、上記バッグ本体部の両側面部に固定して設けられている。
【考案の効果】
【００１４】
請求項１及び２記載の本考案に係るバッグにあっては、ベルト状保持部には、バッグを保持するための部位以外に、自由端となりうるベルト状保持部の先端部側が形成されるが、ベルト状保持部の先端部側を挿入しうる挿入口部が設けられていることから、そのベルト状保持部の先端部側をバッグ内方に収納することができる。
したがって、使用者の体格及び用途に応じて、バッグに取り付けたベルト状保持部の長さを調節することができると共に、ベルト状保持部の先端部側がバッグ本体上で自由に動いてしまい、使用時に邪魔になるという不便を解消することができる。
さらに、ベルト状保持部の先端部側が外部から視認されないことから、ベルト状保持部の先端部側が自由端ではなく調節不可能に固定されたタイプのバッグと同等の外観品質を得ることができる。
また、挿入口部がバッグ本体部とは別部材である根革部に設けられた場合には、バッグ本体部が損傷し易い繊維等の素材であっても、根革部を皮革等の高強度の素材で形成することにより、バッグの素材に左右されることなく挿入口部を設けることができる。
そして、バッグ本体部の側面部に間隙部が設けられている場合にあっては、バッグ本体部の側面部の任意に選択した位置に根革部を設け、ベルト状保持部の先端部側を挿入口部に挿入することができる。
したがって、ベルト状保持部の先端部側を挿入することができる挿入口部を様々なタイプのバッグに設けることができるようになるため、バッグの素材及び形状に対する汎用性が向上する。
【００１５】
また、請求項３記載の本考案に係るバッグは、挿入口部の幅寸法及び厚さ寸法が、ベルト状保持部の先端部側の幅寸法及び厚さ寸法よりもやや大きい寸法で形成されていることから、ベルト状保持部の先端部側を捩れさせることなく挿入口部に挿入することができる。
したがって、ベルト状保持部が捩れ難い硬質な素材で形成された場合であっても、容易に挿入することができるようになるため、ベルトの素材に対する汎用性が向上する。
さらに、ベルト状保持部の先端部側が挿入口部にスムーズに挿入されている状態となるため、違和感を覚えて挿入口部付近の見栄えが悪くなって外観品質が低下するという事態を防止することができる。
【００１６】
また、請求項４記載の本考案に係るバッグは、手提げバッグに適用した際に、根革部を設けてベルト状保持部の先端部側を収納することができる最適なバッグを提供することができる。
【００１７】
また、請求項５記載の本考案に係るバッグは、背負いバッグに適用した際に、根革部を設けてベルト状保持部の先端部側を収納することができる最適なバッグを提供することができる。
【考案を実施するための最良の形態】
【００１８】
以下、図面を用いて本考案を実施するための最良の形態について説明する。
本実施の形態に係るバッグ１０は、図１及び図３に示すように、バッグ本体部１２と、上記バッグ本体部１２を保持するためのベルト状保持部１３，１４と、上記ベルト状保持部１３，１４に係合すると共に、上記ベルト状保持部１３，１４の長さを調節しうる調節部材１５とを有し、上記バッグ本体部１２を形成する内布３１と外布３２との間に、上記ベルト状保持部の先端部側２７を挿入しうるように構成されている。
【００１９】
また、上記外布３２には、根革部１９が固定され、上記根革部１９には、上記ベルト状保持部の先端部側２７を挿入しうる挿入口部２３が設けられている。
【００２０】
また、上記挿入口部２３は、図２に示すように、幅寸法Ｌ１が上記ベルト状保持部の先端部側２７の幅寸法Ｌ２よりもやや大きい寸法で形成され、厚さ寸法Ｌ３が上記ベルト状保持部の先端部側２７の厚さ寸法Ｌ４よりもやや大きい寸法で形成されている。
【００２１】
また、上記バッグ１０は、図１及び図２に示すように、把持しうる一対の上記ベルト状保持部１３，１４を有した手提げバッグであって、上記根革部１９，１９は、上記バッグ本体部１２の両側面部３４，３５の上部に所定間隔をおいて一対に固定して設けられ、上記根革部１９，１９の上端部３８，３８には、バックル状の調節部材１５，１５が固定され、上記ベルト状保持部１３，１４は、上記調節部材１５，１５を介してバッグ本体部１２に連結されている。
【実施例１】
【００２２】
以下、図面を用いて本考案の実施例１に係るバッグ１０について説明する。
本実施例に係るバッグ１０は、図１に示すように、手提げバッグであって、バッグ本体部１２と、上記バッグ本体部１２を把持して保持するための一対のベルト状保持部１３，１４と、上記ベルト状保持部１３，１４に係合すると共に、上記ベルト状保持部１３，１４の長さを調節しうる調節部材１５と、上記バッグ本体部１２に固定された根革部１９，１９とを有している。
上記バッグ本体部１２には、厚さ方向側面部３４，３５が形成され、調節部材１５を介して一方の上記ベルト状保持部１３をバッグ本体部１２へ連結しうる一対の上記根革部１９，１９が、上記バッグ本体部１２の長さ方向に沿って厚さ方向側面部上部３６，３６に所定間隔をおいて一対に固定して設けられている。
また、図示は省略するが、他方の上記ベルト状保持部１４についても、一方の上記ベルト状保持部１３と同様に、調節部材１５を介して他方の上記ベルト状保持部１４をバッグ本体部１２へ連結しうる一対の上記根革部１９，１９が、上記バッグ本体部１２の長さ方向に沿って厚さ方向側面部上部に固定して設けられている。
上記調節部材１５は、図２に示すように、側面横長略長方形のリング状に形成されると共に、上記ベルト状保持部１３，１４を挿通しうるバックル部１６を有している。
上記バックル部１６は、上記根革部１９の上端部において形成された折り返し部３８に一片３９が回動可能に固定され、上記一片３９の長さ方向中央部には、係合爪片４５が回動可能に固定されている。
【００２３】
上記バッグ本体部１２は、図１及び図３に示すように、側面略長方形状に形成され、収納物を収納しうる収納部４２と、上記収納部４２を被覆しうる内布３１と、上記内布３１の外方に配置されると共に、上記内布３１と縫合されている外布３２とを有し、厚さ方向側面部３４，３５においては、上記内布３１と上記外布３２の間に、間隙部３３が設けられている。
上記バッグ本体部１２の上端部には、幅方向に沿ってスライドファスナ４３が配置され、上記バッグ本体部１２を開閉可能としている。
【００２４】
上記ベルト状保持部１３，１４は同様の構成であるため、以下、一方の上記ベルト状保持部１３を例に挙げて説明する。
図１及び図２に示すように、上記ベルト状保持部１３には、上記ベルト状保持部１３の両端から内方に向かって、厚さ方向に貫通して形成された貫通孔４４が長さ方向に沿って複数箇所に設けられている。
また、上記ベルト状保持部１３は、その両端が上記バックル部１６に挿通され、任意に選択した上記貫通孔４４に、上記係合爪片４５が挿通されることにより、上記バッグ本体部１２に連結されている。
したがって、上記貫通孔４４を任意に変更することにより、上記ベルト状保持部１３の長さを調節することができる。
上記ベルト状保持部１３には、図１及び図２に示すように、ベルト状保持部の先端部側２７，２７が自由端として形成されている。
【００２５】
上記ベルト状保持部１３，１４に設けられた根革部１９は同様の構成であるため、以下、一方の上記ベルト状保持部１３側に設けられた上記根革部１９を例に挙げて説明する。
図１及び図２に示すように、上記根革部１９は、折り返し部３８に向かってテーパ状に形成され、上記根革部１９の略中央部には、上記外布３２と上記根革部１９を厚さ方向に貫通して形成された挿入口部２３が、幅方向に沿って設けられている。
上記挿入口部２３には、図１〜図３に示すように、上記ベルト状保持部の先端部側２７が挿入され、上記挿入口部２３に挿入された上記ベルト状保持部の先端部側２７は、上記間隙部３３内に収納されている。
また、上記挿入口部２３は、図２に示すように、幅寸法Ｌ１が上記ベルト状保持部の先端部側２７の幅寸法Ｌ２よりもやや大きい寸法で形成され、厚さ寸法Ｌ３が上記ベルト状保持部の先端部側２７の厚さ寸法Ｌ４よりもやや大きい寸法で形成されている。
上記ベルト状保持部の先端部４６は、上記挿入口部２３の厚さ寸法Ｌ３よりも大きい厚さ寸法で形成され、上記挿入口部２３から外部に抜け出さないストッパとして機能する。
【００２６】
以下、本実施例の作用について説明する。
上記実施例に係るバッグ１０は、ベルト状保持部１３，１４には、バッグ１０を保持するための部位以外に、自由端となりうるベルト状保持部の先端部側２７が形成されるが、ベルト状保持部の先端部側２７を挿入しうる挿入口部２３が設けられていることから、そのベルト状保持部の先端部側２７をバッグ内方に収納することができる。
したがって、使用者の体格及び用途に応じて、バッグに取り付けたベルト状保持部１３，１４の長さを調節することができると共に、ベルト状保持部の先端部側２７がバッグ本体上で自由に動いてしまい、使用時に邪魔になるという不便を解消することができる。
さらに、ベルト状保持部の先端部側２７が外部から視認されないことから、ベルト状保持部の先端部側２７が自由端ではなく調節不可能に固定されたタイプのバッグと同等の外観品質を得ることができる。
また、挿入口部２３がバッグ本体部１２とは別部材である根革部１９に設けられた場合には、バッグ本体部１２が損傷し易い繊維等の素材であっても、根革部１９を皮革等の高強度の素材で形成することにより、バッグの素材に左右されることなく挿入口部２３を設けることができる。
そして、厚さ方向側面部３４，３５に間隙部３３が設けられている場合にあっては、厚さ方向側面部３４，３５の任意に選択した位置に根革部１９を設け、ベルト状保持部の先端部側２７を挿入口部２３に挿入することができる。
したがって、ベルト状保持部の先端部側２７を挿入するための挿入口部２３を様々なタイプのバッグに設けることができるようになるため、バッグの素材及び形状に対する汎用性が向上する。
【００２７】
また、挿入口部２３の幅寸法Ｌ１及び厚さ寸法Ｌ３が、ベルト状保持部の先端部側２７の幅寸法Ｌ２及び厚さ寸法Ｌ４よりもやや大きい寸法で形成されていることから、ベルト状保持部の先端部側２７を捩れさせることなく挿入口部２３に挿入することができる。
したがって、ベルト状保持部が捩れ難い硬質な素材で形成された場合であっても、容易に挿入することができるようになるため、ベルトの素材に対する汎用性が向上する。
さらに、ベルト状保持部の先端部側が挿入口部にスムーズに挿入されている状態となるため、違和感を覚えて挿入口部付近の見栄えが悪くなって外観品質が低下するという事態を防止することができる。
【００２８】
以下、図面を用いて本考案の実施例２に係るバッグ６０について説明する。
本実施例に係るバッグ６０は、図４、図５、図７に示すように、背負いバッグであって、バッグ本体部６２と、上記バッグ本体部６２を両肩に掛けて保持することができる一対のベルト状保持部６３，６４と、上記ベルト状保持部６３，６４に係合すると共に、上記ベルト状保持部６３，６４の長さを調節しうる調節部材６５と、上記バッグ本体部６２に固定された根革部６７とを有している。
上記バッグ本体部６２は、背負った際に背中と当接しうる背中当接面部６９と、上記背中当接面部６９の両側方に設けられた側面部７０とを有し、上記両側面部下部７２には、上記根革部６７が固定して設けられている。
【００２９】
上記バッグ本体部６２は、図４に示すように、側面略長方形状に形成されている。
上記側面部７０は、図４及び図６に示すように、収納物を収納しうる収納部７４と、上記収納部７４の外方に配置された内布７５と、さらに上記内布７５よりも外方に配置されると共に、上記内布７５と縫合されている外布７６とを有し、上記内布７５と上記外布７６の間には、間隙部７７が形成されている。
上記バッグ本体部６２の上端部には、図７に示すように、幅方向に沿ってスライドファスナ７８が配置され、上記バッグ本体６２を開閉可能としている。
【００３０】
上記ベルト状保持部６３，６４は、図４に示すように、肩に掛けてバッグ本体部６２を保持しうる肩掛けベルト７９，８０と、上記ベルト状保持部６３，６４の長さを変更しうる調節ベルト８１，８２とを有している。
上記肩掛けベルト７９，８０は、その基端部８３，８４が、上記背中当接面部上部８５に所定間隔をおいて取り付けられ、各々の上記肩掛けベルト７９，８０が、上記背中当接面部上部８５の近傍において交差すると共に、上記背中当接部６９の長さ方向に沿って設けられている。上記肩掛けベルト７９，８０の他端部８６，８７は、上記調節部材６５に係合されている。
【００３１】
上記調節ベルト８１，８２は同様の構成であるため、以下、上記調節ベルト８１を例に挙げて説明する。
上記調節ベルト８１は、図５に示すように、その基端部８８が、上記背中当接面部６９の幅方向端部に設けられた固定部８９に固定され、中央部付近において長さ方向に沿って折り返すことにより折り返し部９０が形成され、上記折り返し部９０が、上記調節部材６５に係合されている。
また、折り返して重ねられた上記調節ベルト８１を一体的に固定しうるゴムバンド９１が、上記調節部材６５と上記固定部８９の間に設けられている。
上記調節ベルト８１には、調節ベルトの先端部側９３が自由端として形成されている。
【００３２】
上記根革部６７は、図５に示すように、側面縦長略長方形状に形成され、上記根革部６７の略中央部には、上記外布７６と上記根革部６７を厚さ方向に貫通して形成された挿入口部９４が、長さ方向に沿って設けられている。
上記挿入口部９４には、図５及び図６に示すように、上記調節ベルトの先端部側９３が挿入され、上記挿入口部９４に挿入された上記調節ベルトの先端部側９３は、上記間隙部７７に収納されている。
また、上記挿入口部９４は、図５に示すように、幅寸法Ｌ５が上記調節ベルトの先端部側９３の幅寸法Ｌ６よりもやや大きい寸法で形成され、厚さ寸法Ｌ７が上記調節ベルトの先端部側９３の厚さ寸法Ｌ８よりもやや大きい寸法で形成されている。
上記調節ベルト他端部９２は、上記挿入口部９４の厚さ寸法Ｌ７よりも大きい厚さ寸法で形成され、上記挿入口部９４から外部に抜け出さないストッパとして機能する。
【００３３】
以下、本実施例の作用について説明する。
上記実施例に係るバッグ６０は、調節ベルト８１，８２には、バッグ６０を保持するための部位以外に、自由端となりうる調節ベルトの先端部側９３が形成されるが、調節ベルトの先端部側９３を挿入しうる挿入口部９４が設けられていることから、その調節ベルトの先端部側９３をバッグ内方に収納することができる。
したがって、使用者の体格及び用途に応じて、バッグに取り付けたベルト状保持部６３，６４の長さを調節することができると共に、調節ベルトの先端部側９３がバッグ本体上で自由に動いてしまい、使用時に邪魔になるという不便を解消することができる。
【００３４】
また、挿入口部９４の幅寸法Ｌ５及び厚さ寸法Ｌ７が、調節ベルトの先端部側９３の幅寸法Ｌ６及び厚さ寸法Ｌ８よりもやや大きい寸法で形成されていることから、調節ベルトの先端部側９３を捩れさせることなく挿入口部９４に挿入することができる。
したがって、調節ベルトが捩れ難い硬質な素材で形成された場合であっても、容易に挿入することができるようになるため、ベルトの素材に対する汎用性が向上する。
さらに、調節ベルトの先端部側が挿入口部にスムーズに挿入されている状態となるため、違和感を覚えて挿入口部付近の見栄えが悪くなって外観品質が低下するという事態を防止することができる。
【産業上の利用可能性】
【００３５】
本考案は、主にベルトの長さを調節することができるバッグに適用可能である。
【図面の簡単な説明】
【００３６】
【図１】本考案に係るバッグの第一の実施の形態を示す斜視図である。
【図２】本考案に係るバッグの第一の実施の形態を示し、ベルト状保持部の先端部側と挿入口部の関係を示す斜視図である。
【図３】本考案に係るバッグの第一の実施の形態を示し、内布と外布とベルト状保持部の先端部側を示す断面図である。
【図４】本考案に係るバッグの第二の実施の形態を示す背面図である。
【図５】本考案に係るバッグの第二の実施の形態を示し、調節ベルトの先端部側と挿入口部の関係を示す斜視図である。
【図６】本考案に係るバッグの第二の実施の形態を示し、内布と外布と調節ベルトの先端部側を示す断面図である。
【図７】本考案に係るバッグの第二の実施の形態を示す正面図である。
【符号の説明】
【００３７】
１０    バッグ
１２    バッグ本体部
１３    一方のベルト状保持部
１４    他方のベルト状保持部
１５    調節部材
１６    バックル部
１９    根革部
２３    挿入口部
２７    ベルト状保持部の先端部側
３１    内布
３２    外布
３３    間隙部
３４、３５    厚さ方向側面部
３６    厚さ方向側面部上部
３８    折り返し部
３９    バックル部の一片
４２    収納部
４３    スライドファスナ
４４    貫通孔
４５    係合爪片
４６    ベルト状保持部の先端部
６０    バッグ
６２    バッグ本体部
６３、６４    ベルト状保持部
６５    調節部材
６７    根革部
６９    背中当接面部
７０    側面部
７２    側面部下部
７４    収納部
７５    内布
７６    外布
７７    間隙部
７８    スライドファスナ
７９、８０    肩掛けベルト
８１、８２    調節ベルト
８３、８４    肩掛けベルト基端部
８５    背中当接面部上部
８６、８７    肩掛けベルト他端部
８８    調節ベルト基端部
８９    固定部
９０    折り返し部
９１    ゴムバンド
９２    調節ベルト他端部
９３    調節ベルトの先端部側
９４    挿入口部
Ｌ１    挿入口部の幅寸法
Ｌ２    ベルト状保持部の先端部側の幅寸法
Ｌ３    挿入口部の厚さ寸法
Ｌ４    ベルト状保持部の先端部側の厚さ寸法
Ｌ５    挿入口部の幅寸法
Ｌ６    調節ベルトの先端部側の幅寸法
Ｌ７    挿入口部の厚さ寸法
Ｌ８    調節ベルトの先端部側の厚さ寸法
【図１】
0003117293.tif 000003
【図２】
0003117293.tif 000004
【図３】
0003117293.tif 000005
【図４】
0003117293.tif 000006
【図５】
0003117293.tif 000007
【図６】
0003117293.tif 000008
【図７】
0003117293.tif 000009